(57)【要約】【課題】非共沸混同冷媒使用の冷凍サイクル装置において、冷媒精留器下部から流出する冷媒状態が気液二相となる場合があり、冷媒流れに脈動が生じ、冷媒精留器まわりの冷媒流量が安定せず、組成変更が安定して行われない場合があった。【解決手段】冷凍サイクルと、冷媒精留器と、冷媒精留器で分離された低沸点冷媒成分を冷却する第１冷却器と、冷媒貯留器とを備え、冷媒精留器の下部と冷凍サイクルの低圧側とを接続する配管に第３減圧装置を設置し、該第３減圧装置の冷媒精留器側に、冷媒精留器から出る冷媒を過冷却する第２冷却器を設けた。【選択図】　　　　図１
2004108596.tif 000002
【特許請求の範囲】
【請求項１】
圧縮機、利用側熱交換器、第１減圧装置、熱源側熱交換器を順次配管で接続してなる冷凍サイクルと、
非共沸混合冷媒を低沸点冷媒成分と高沸点冷媒成分とに分離する冷媒精留器と、
前記冷媒精留器で分離された低沸点冷媒成分を冷却する第１冷却器と、
前記第１冷却器で冷却された冷媒を貯留する冷媒貯留器とを備え、
前記冷媒精留器の下部と前記冷凍サイクルの前記圧縮機の出口側とを接続する配管に設置した第１開閉弁と、前記冷媒精留器の下部と前記冷凍サイクルの低圧側とを接続する配管に設置した第２開閉弁とを開閉することにより、冷凍サイクル内の非共沸混合冷媒の低沸点冷媒成分と高沸点冷媒成分の割合を可変とする冷凍サイクル装置において、
前記冷媒精留器の下部と前記冷凍サイクルの前記圧縮機の出口側とを接続する配管の前記冷媒精留器の入口側に第２減圧装置を設け、
前記冷媒精留器の下部と前記冷凍サイクルの低圧側とを接続する配管に第３減圧装置を設置し、該第３減圧装置の前記冷媒精留器側に、前記冷媒精留器から出る冷媒を過冷却する第２冷却器を設けたことを特徴とする冷凍サイクル装置。
【請求項２】
圧縮機、利用側熱交換器、第１減圧装置、熱源側熱交換器を順次配管で接続してなる冷凍サイクルと、
非共沸混合冷媒を低沸点冷媒成分と高沸点冷媒成分とに分離する冷媒精留器と、
前記冷媒精留器で分離された低沸点冷媒成分を冷却する第１冷却器と、
前記第１冷却器で冷却された冷媒を貯留する冷媒貯留器とを備え、
前記冷媒精留器の下部と前記冷凍サイクルの前記圧縮機の出口側とを接続する配管に設置した第１開閉弁と、前記冷媒精留器の下部と前記冷凍サイクルの低圧側とを接続する配管に設置した第２開閉弁とを開閉することにより、冷凍サイクル内の非共沸混合冷媒の低沸点冷媒成分と高沸点冷媒成分の割合を可変とする冷凍サイクル装置において、
前記冷媒精留器の下部と前記冷凍サイクルの前記圧縮機の出口側とを接続する配管の前記冷媒精留器の入口側に第２減圧装置を設け、
また、前記冷媒精留器の下部と前記冷凍サイクルの低圧側とを接続する配管に第３減圧装置を設置し、
前記冷媒貯留器の出口側と前記冷凍サイクルの低圧側とを開閉弁及び減圧装置を介して配管接続したことを特徴とする冷凍サイクル装置。
【請求項３】
前記冷媒貯留器の出口側と配管接続した前記冷凍サイクルの低圧側が、前記利用側熱交換器及び前記熱源側熱交換器のうち、低圧側となる熱交換器の入口側であることを特徴とする請求項２記載の冷凍サイクル装置。
【請求項４】
圧縮機、利用側熱交換器、第１減圧装置、熱源側熱交換器を順次配管で接続してなる冷凍サイクルと、
非共沸混合冷媒を低沸点冷媒成分と高沸点冷媒成分とに分離する冷媒精留器と、
前記冷媒精留器で分離された低沸点冷媒成分を冷却する第１冷却器と、
前記第１冷却器で冷却された冷媒を貯留する冷媒貯留器とを備え、
前記冷媒精留器の下部と前記冷凍サイクルの前記圧縮機の出口側とを接続する配管に設置した第１開閉弁と、前記冷媒精留器の下部と前記冷凍サイクルの低圧側とを接続する配管に設置した第２開閉弁とを開閉することにより、冷凍サイクル内の非共沸混合冷媒の低沸点冷媒成分と高沸点冷媒成分の割合を可変とする冷凍サイクル装置において、
前記冷媒精留器の下部と前記冷凍サイクルの前記圧縮機の出口側とを接続する配管の前記冷媒精留器の入口側に第２減圧装置を設け、
また、前記冷媒精留器の下部と前記冷凍サイクルの低圧側とを接続する配管に第３減圧装置を設置し、
前記第１冷却器の出口側と前記冷凍サイクルの前記利用側熱交換器及び前記熱源側熱交換器のうち、高圧側となる熱交換器の出口側とを開閉弁を介して配管接続したことを特徴とする冷凍サイクル装置。
【請求項５】
前記第３減圧装置の前記冷媒精留器側に、前記冷媒精留器から出る冷媒を過冷却する第２冷却器を設けたことを特徴とする請求項２、請求項３又は請求項４に記載の冷凍サイクル装置。
【請求項６】
前記第２冷却器は、前記第３減圧装置を通過後の冷媒との熱交換で冷却することを特徴とする請求項１又は請求項５に記載の冷凍サイクル装置。
【請求項７】
前記冷媒精留器の下部と前記冷凍サイクルの前記圧縮機の出口側とを接続する配管の前記冷媒精留器の入口側に設けた第２減圧装置の前記圧縮機側に第３冷却器を設けたことを特徴とする請求項１から請求項６のいずれかの請求項に記載の冷凍サイクル装置。
【請求項８】
前記第３減圧装置の入口側に第１温度検出手段を、出口側に第１圧力検出手段と第２温度検出手段を設け、第１圧力検出手段により検出した圧力、第１温度検出手段および第２温度検出手段により検出したそれぞれの温度を用いて前記冷凍サイクルの冷媒組成を演算する組成演算手段を備えたことを特徴とする請求項１から請求項７のいずれかの請求項に記載の冷凍サイクル装置。
【請求項９】
前記第１冷却器は、前記第３減圧装置を通過後の冷媒との熱交換で冷却することを特徴とする請求項１から請求項８のいずれかの請求項に記載の冷凍サイクル装置。
【請求項１０】
前記第１冷却器、前記第２冷却器及び前記第３冷却器によるそれぞれの冷媒の冷却は、前記第３減圧装置で減圧された冷媒が、前記第２冷却器、前記第１冷却器、前記第３冷却器の順に、それぞれの冷媒と熱交換することにより行われることを特徴とする請求項９に記載の冷凍サイクル装置。
【請求項１１】
前記冷凍サイクルの前記圧縮機の出口側に、前記利用側熱交換器または前記熱源側熱交換器に冷媒流路を切換える冷媒流路切換手段を設けたことを特徴とする請求項１から請求項１０のいずれかの請求項に記載の冷凍サイクル装置。
【発明の詳細な説明】
【０００１】
【発明の属する技術分野】
本発明は、冷媒として非共沸混合冷媒を用いる冷凍サイクル装置に関するものであり、特に冷凍サイクル内を循環する冷媒組成を変更する冷凍サイクル装置の改善に関する。
【０００２】
【従来の技術】
従来、電動機の回転数が変更できない圧縮機を搭載した空調機の容量制御やヒートポンプ式給湯器による高温出湯時の高圧圧力低減のため、冷凍サイクル内を循環する冷媒の組成を変更する冷媒組成変更手段を搭載した冷凍サイクル装置が提案されている。
これらの冷凍サイクル装置は、圧縮機の電動機の回転数を変更するインバータを用いずに高効率で幅広い能力制御幅を得ることを目的とするものであり、圧縮機、熱源側熱交換器、減圧装置、利用側熱交換器等を備えた冷凍サイクルと、低沸点冷媒と高沸点冷媒とからなる非共沸混合冷媒と、低沸点成分に富んだ冷媒を生成する冷媒精留器と、冷媒精留器から出た低沸点成分に富んだ冷媒を貯留する第１の冷媒貯留器と、高沸点成分に富んだ冷媒を貯留する第２の冷媒貯留器とを備え、第１の冷媒貯留器と第２の冷媒貯留器の液冷媒量を調整することにより冷凍サイクル内を循環する組成を連続的に変更し、常に負荷に応じた能力を発揮させることができるというものである。
【０００３】
以下冷凍サイクル装置の例である。
圧縮機の出口部と冷媒精留器の下部は、電磁弁を介して配管で接続されており、またこの配管の途中には、圧縮機の吸入配管と熱交換する冷却器が設けられている。さらに、冷媒精留器の下部とアキュムレータは、毛細管と電磁弁を介して配管で接続されている。
冷媒精留器の上部には、冷却器と第１の冷媒貯留器が環状に接続されており、冷却器は、圧縮機の吸入冷媒の一部が電磁弁を介して流入できるように構成されている。
【０００４】
圧縮機、四方弁、熱源側熱交換器、アキュムレータ、冷媒精留器、第１の冷媒貯留器、冷却器、冷却器、電磁弁、毛細管及びこれらの接続配管は室外機内に納められている。
【０００５】
また、室内機は、第１減圧装置である電子式膨張弁と利用側熱交換器で構成されている。
これらの室外機と室内機は、２本の配管で接続されており、冷凍サイクルを形成している。この冷凍サイクル内には高沸点成分と低沸点成分からなる非共沸混合冷媒が充填されている。熱源側熱交換器は、暖房運転時には蒸発器として動作し、冷房運転時には凝縮器として動作する。また利用側熱交換器は、暖房運転時には凝縮器として動作し、冷房運転時には蒸発器として動作する。
【０００６】
例えば、暖房運転時には、冷凍サイクル内の余剰な冷媒は、アキュムレータ内に貯留される。このアキュムレータ内の冷媒は、高沸点成分に富んだ液冷媒と、低沸点成分に富んだ蒸気冷媒に分離される。このため、アキュムレータ内に液冷媒が貯留されると、サイクル内を循環する冷媒組成は、充填組成に比べて低沸点成分が増加する。
【０００７】
一方、冷凍サイクル内を循環する冷媒組成の高沸点成分を増加させる場合には、圧縮機を出た高温高圧の蒸気冷媒の一部を電磁弁を開いて冷却器に流入させ、この高温の冷媒蒸気は、冷却器内で低温低圧の圧縮機吸入冷媒によって冷却され、飽和蒸気あるいは気液二相状態まで冷却される。冷却器を出た高圧の気液二相冷媒は冷媒精留器の下部へ流入し、このうち冷媒蒸気は冷媒精留器内を上昇する。
また、冷媒精留器の上部では、上昇した冷媒蒸気が冷却器に流入し、電磁弁を通って流入した低温の圧縮機への吸入冷媒によって冷却され、凝縮液化する。この液冷媒は冷媒貯留器に流入し、貯留される。
冷媒貯留器内から液冷媒が冷媒精留器の環流液として冷媒精留器へ上部より流入する。
【０００８】
即ち、冷媒精留器内では、上昇する蒸気冷媒と、下降する液冷媒とが気液接触を行い、熱および物質移動が行われ、冷媒精留器内を上昇する蒸気冷媒は徐々に低沸点成分が増加し、低沸点成分に富んだ液冷媒が冷媒貯留器内に貯留される。
【０００９】
冷媒貯留器に貯留される液冷媒の増加とともに、アキュムレータ内の液冷媒は減少し、アキュムレータ内に貯留されていた高沸点成分に富んだ液冷媒が、サイクル内へ放出され、低沸点成分に富んだ液冷媒が冷媒貯留器内に貯留されることになる。この結果、冷凍サイクル内を循環する冷媒組成を高沸点成分に富んだものにすることができる。
例えば、Ｒ３２を２３％、Ｒ１２５を２５％、Ｒ１３４ａを５２％の重量割合で混合した冷媒（Ｒ４０７Ｃ）を充填した冷凍サイクルにおいて、低沸点成分であるＲ３２の組成を４５％から５％の範囲で制御することにより、能力は充填組成（Ｒ３２の組成が２３％）での能力を１００％とすると１３０％から７０％の範囲で制御することができる。
【００１０】
以上のように、従来の発明においては、冷媒貯留器に貯留する低沸点成分に富んだ液冷媒量とアキュムレータに貯留する高沸点成分に富んだ液冷媒量を調整することにより、冷凍サイクル内を循環する冷媒組成を変更できるため、インバータによる電動機の回転数制御を行う場合に比べ、冷媒組成変更により低コストで広範囲な能力制御が可能になるというものであった（例えば、特許文献１参照）。
【００１１】
【特許文献１】
特開平１０−２６７４３６号公報（第４頁〜第７頁、図１）
【００１２】
【発明が解決しようとする課題】
しかしながら、従来の冷凍サイクル装置では、冷媒精留器の構造によって冷媒精留器下部から流出する冷媒状態が気液二相となる場合があり、そのため下流の毛細管入口部に流入する冷媒が気液二相状態と液相状態を交互に繰り返す脈動が生じ、冷媒精留器内の冷媒流量が不安定となるという課題があった。
本発明は上記のような課題を解決するためになされたもので、非共沸混合冷媒を用い、冷凍サイクル内の冷媒組成を変化させ運転する冷凍サイクル装置の冷媒精留器内の冷媒流量を安定化できる、または、冷凍サイクル内の冷媒循環組成を変化させる際、低沸点成分を早く増加させることができる等、冷凍サイクル装置の性能を向上することを目的とする。
【００１３】
【課題を解決するための手段】
本発明の冷凍サイクル装置は、冷凍サイクルと、冷媒精留器と、冷媒精留器で分離された低沸点冷媒成分を冷却する第１冷却器と、冷媒貯留器とを備え、第１開閉弁と第２開閉弁とを開閉することにより、冷凍サイクル内の非共沸混合冷媒の低沸点冷媒成分と高沸点冷媒成分の割合を可変とする冷凍サイクル装置において、冷媒精留器の下部と冷凍サイクルの圧縮機の出口側とを接続する配管の冷媒精留器の入口側に第２減圧装置を設け、冷媒精留器の下部と冷凍サイクルの低圧側とを接続する配管に第３減圧装置を設置し、該第３減圧装置の冷媒精留器側に、冷媒精留器から出る冷媒を過冷却する第２冷却器を設けたものである。
【００１４】
また、本発明の冷凍サイクル装置は、冷凍サイクルと、冷媒精留器と、第１冷却器と、冷媒貯留器とを備え、第１開閉弁と第２開閉弁とを開閉することにより、冷凍サイクル内の非共沸混合冷媒の低沸点冷媒成分と高沸点冷媒成分の割合を可変とする冷凍サイクル装置において、冷媒精留器の下部と冷凍サイクルの圧縮機の出口側とを接続する配管の冷媒精留器の入口側に第２減圧装置を設け、また、冷媒精留器の下部と冷凍サイクルの低圧側とを接続する配管に第３減圧装置を設置し、冷媒貯留器の出口側と冷凍サイクルの低圧側とを開閉弁及び減圧装置を介して配管接続したものである。
【００１５】
また、本発明の冷凍サイクル装置は、冷凍サイクルと、冷媒精留器と第１冷却器と冷媒貯留器とを備え、第１開閉弁と第２開閉弁とを開閉することにより、冷凍サイクル内の非共沸混合冷媒の低沸点冷媒成分と高沸点冷媒成分の割合を可変とする冷凍サイクル装置において、冷媒精留器の下部と冷凍サイクルの圧縮機の出口側とを接続する配管の冷媒精留器の入口側に第２減圧装置を設け、また、冷媒精留器の下部と冷凍サイクルの低圧側とを接続する配管に第３減圧装置を設置し、第１冷却器の出口側と冷凍サイクルの利用側熱交換器及び熱源側熱交換器のうち、高圧側の熱交換器の出口側とを開閉弁を介して配管接続したものである。
【００１６】
【発明の実施の形態】
実施の形態１．
以下、本発明の実施の形態１の冷凍サイクル装置について説明する。
図１は本実施の形態に係わる冷凍サイクル装置を示す構成図である。図において、冷凍サイクルは圧縮機１、利用側熱交換器３、第１減圧装置である膨張弁４、熱源側熱交換器５、アキュムレータ６を配管接続して構成され、これらは冷凍サイクルユニット６２内に収納されている。
また、組成分離回路は組成分離手段である冷媒精留器１１、冷媒を貯留するための冷媒貯留器１４、第１冷却器１３、第２冷却器１２、第２減圧装置である毛細管３１、第３減圧装置である毛細管３２、第１開閉弁である電磁弁２１及び第２開閉弁である電磁弁２２で構成され、第１冷却器１３と冷媒貯留器１４は冷媒精留器１１の上部に環状に接続されている。なお、これらは組成分離ユニット６３内に収納されている。
【００１７】
これら冷凍サイクルユニット６２及び組成分離ユニット６３は、第１配管２５及び第２配管２６である２本の配管で接続され、冷媒回路内を循環する冷媒組成が変更可能な冷凍サイクル装置を形成している。この冷凍サイクル装置内には、例えば高沸点成分（Ｒ１３４ａ）と低沸点成分（Ｒ３２＋Ｒ１２５）からなる３成分非共沸混合冷媒Ｒ４０７Ｃ（標準組成；Ｒ３２：Ｒ１２５：Ｒ１３４ａ＝２３：２５：５２ｗｔ％）が充填されている。
【００１８】
さらに、冷媒精留器１１には、その内部に気液の接触面積を増大させるための充填材が封入されている。
また、圧縮機１の出口側、即ち、圧縮機からの吐出冷媒が吐出する配管で、圧縮機と利用側熱交換器３とを接続する配管（後述の実施の形態２では、圧縮機と四方弁２を接続する配管）と冷媒精留器１１の下部は、第１開閉弁である電磁弁２１と毛細管３１を介して第１配管２５で接続されている。即ち、第１配管２５は第１開閉弁２１入口部と、圧縮機１と利用側熱交換器３間の配管とを接続する（後述の実施の形態２では、第１開閉弁２１入口部と、圧縮機１と四方弁２間の配管とを接続する）。
【００１９】
また、冷媒精留器１１の下部から流出した中間圧力の気液二相冷媒は、第２冷却器１２に入り液化され、毛細管３２を経て減圧されたのち、低圧の気液二相冷媒となり、第２冷却器１２に戻り、第２冷却器１２で冷媒精留器１１の下部から流出した気液二相冷媒を完全に液化させ、即ち、過冷却状態とさせ、自身は低圧蒸気冷媒となり、さらに第１冷却器１３に入り、冷媒精留器１１から出た低沸点成分の冷媒蒸気を冷却し、液化させ、第２開閉弁２６、第２配管２６を通って、アキュームレータ６の入口部に流入する。ここに、第２配管２６は、第２開閉弁２２入口部とアキュームレータ６の入口部の配管とを接続する。但し、第２配管２６は、第２開閉弁２２入口部と冷凍サイクルの低圧側の配管、即ち、第１減圧装置４とアキュームレータ６間の配管とを接続するようにしてもよい（後述の実施の形態２では、第１減圧装置４とアキュームレータ６間の配管で、第１減圧装置４の下流側の低圧配管とを接続する）。
即ち、冷凍サイクルと組成分離回路とは、第１配管２５及び第２配管２６によって接続されている。
【００２０】
また、冷凍サイクルユニット６２と組成分離ユニット６３とは、それぞれに収容される冷凍サイクルと組成分離回路とを第１配管２５及び第２配管２６によって接続しているので、既存の冷凍サイクルユニット６２へ組成分離ユニット６３を接続できる。また、接続の際、既存の冷凍サイクルユニット６２を大幅に変更することなく、接続点数も少なくでき、接続が容易である。
さらに、組成分離回路において、冷媒精留器１１に第２減圧装置である毛細管３１と第３減圧装置である毛細管３２とが接続しており、前者は圧縮機１の吐出側と、後者は同じく吸入側と接続されているため、冷媒精留器１１は中間圧で動作する。そこで、高圧で動作する場合に比べて、液組成とガス組成との差が大きくなり（非共沸性が大きくなり）、高圧で動作する場合に比べて分離効率（液・ガスの濃度差に比例）が高くなる。
【００２１】
次に、上記のように構成された本実施の形態の冷凍サイクル装置の動作について説明する。本実施の形態では、冷凍サイクル装置を利用側熱交換器３に水熱交換器を用い、熱源側熱交換器５に空気熱交換器を用いる空冷式給湯器とし、冷凍サイクル内を循環する冷媒組成を変更し、例えば、高沸点成分を増やして、高圧圧力上昇を抑制し、高温給湯を可能とする。この場合、熱源側熱交換器５は蒸発器として動作し、利用側熱交換器３は凝縮器として動作する。
【００２２】
給湯器では、夜間に冷凍サイクル装置を稼働し、水道水を給水した貯湯タンク（図示省略）からポンプ（図示省略）により利用側熱交換器３の水熱交換器に水を流し、吸熱により貯湯タンク内の水を沸き上げる。この際、初めは早く温度を上げるため、冷凍サイクルの循環冷媒の組成を低沸点成分を増加させた組成とし、または標準組成とし、加熱能力を上げる。そして、ある程度温度が上がったら（例えば、６５℃）、循環冷媒の組成を高沸点成分を増加させた組成とし、高温（例えば、７０℃）とする。
その後は、温度維持を行うが、高温（例えば、７０℃）からの温度低下（例えば、６５℃）に伴う放熱ロス分を補うため、高沸点増加組成で運転する。
利用者は、沸き上がった貯湯タンクからの温水と水道水の給水とを混合し、適切温度で使用する。
利用量が増えるにつれ、貯湯タンクの湯量は減少するが、渇水状態にならない限り、昼間の補給（給水）は行わない。渇水状態になれば、貯湯タンクに、低沸点成分増加組成で、５５℃程度の温水を貯める、または高沸点成分増加組成で少しづつ貯湯する等、適宜選択する。
【００２３】
冷媒組成を変更しない場合は、第１開閉弁２１及び第２開閉弁２２を閉とする。圧縮機１から吐出された高温高圧の蒸気冷媒は、凝縮器として動作する利用側熱交換器３で凝縮液化して中温高圧の液冷媒となり、膨張弁４で減圧され、低温低圧の気液二相冷媒となって蒸発器として動作する熱源側熱交換器５に流入する。この冷媒は、熱源側熱交換器５で蒸発気化し、アキュムレータ６を経て再び圧縮機１へ戻る。このとき、利用側熱交換器３に流入する被加熱媒体である冷水は冷媒の凝縮潜熱によって加熱されて温水となり、貯湯タンクなどに供給される。
また、熱源側熱交換器５に流入する被冷却媒体である空気は冷媒の蒸発潜熱によって冷却された後、外気などへ放出される。
【００２４】
次に、冷凍サイクル内を循環する冷媒組成を変更する場合の動作について説明する。
上述した給湯運転時において、冷凍サイクル内を循環する冷媒組成の高沸点成分を増加させる場合には、電磁弁２１、２２を開状態とする。この時、圧縮機１を出た高温高圧の蒸気冷媒の一部は、電磁弁２１を通って、冷媒精留器１１の下部の入口側に設けられた毛細管３１で中間圧力まで減圧された後、冷媒精留器１１の下部へ流入し、蒸気冷媒の一部が冷媒精留器１１内を上昇する。
ここで、毛細管３１、毛細管３２の仕様は、組成分離回路内の圧力および組成分離回路を流れる冷媒流量が適正となるように決定されている。
【００２５】
また、冷媒精留器１１の上部では、上昇した冷媒蒸気が第１冷却器１３に流入し、第２冷却器を流出した低圧気液二相冷媒によって冷却され、凝縮液化する。
凝縮液化した冷媒は冷媒貯留器１４に流入し、貯留される。冷媒貯留器１４内では流入した液冷媒が徐々に蓄積され、冷媒貯留器１４が満液状態となると、オーバーフローした液冷媒が冷媒精留器１１の環流液として冷媒精留器１１の上部より流入する。この際、冷媒貯留器１４を含んだ精留回路内は、中間圧で釣り合うため、冷媒は冷媒貯留器１４から冷媒精留器１１へはオーバーフローで流れる。
この状態において、冷媒精留器１１内では、上昇する蒸気冷媒と、下降する液冷媒とが気液接触を行い、熱及び物質移動が行われ、いわゆる精留作用により、冷媒精留器１１内を上昇する蒸気冷媒は徐々に低沸点成分が増加し、冷媒貯留器１４内に貯留された液冷媒は徐々に低沸点成分に富んだ状態となる。
【００２６】
以上により、冷凍サイクル装置に充填した充填冷媒組成より低沸点成分に富んだ液冷媒が冷媒貯留器１４内に貯留され、冷凍サイクル内を循環する冷媒組成を高沸点成分に富んだものとすることができる。そこで、冷媒組成を所定の高沸点成分組成とすることにより、高温給湯時の高圧圧力上昇を抑制でき、高温給湯が可能となる。
また、冷媒精留器１１の下部から流出した中間圧力の気液二相冷媒は、第２冷却器１２に入り液化され、第３減圧装置である毛細管３２を経て減圧されたのち、低圧の気液二相冷媒となり、第２冷却器１２で冷媒精留器１１の下部から流出した気液二相冷媒を完全に液化させ、即ち、過冷却状態とさせ、液単相状態にするので、毛細管３２入口部が気液二相状態であることによって生じる組成分離回路内の流量不安定現象を抑えることが可能となる。
【００２７】
一方、給湯器の使用開始時等、低温の水を温める場合は、大きな能力が要求される。この場合は、冷凍サイクル内の冷媒組成を充填冷媒組成より低沸点成分に富んだ組成とする。即ち、電磁弁２１を閉とし、電磁弁２２を開とし、冷媒貯留器１４の低沸点成分に富んだ冷媒を冷凍サイクルに流し、冷凍サイクルのアキュムレータ６内に高沸点冷媒成分を余剰液冷媒として溜める。
【００２８】
ここで、冷凍サイクル内を循環する冷媒組成の目標値と目標値への制御方法について図２および図３を用いて説明する。図２は、Ｒ４０７Ｃにおいて、所望の給湯温度（例えば７０℃）が得られる場合の低沸点成分（Ｒ３２＋Ｒ１２５）の組成と高圧圧力の関係を示したものである。図２において、アは低沸点成分の組成と高圧圧力の関係を示しており、イは圧縮機の高圧圧力の使用限界を示している。また、Ａは低沸点成分が４８ｗｔ％に相当する高圧圧力を、Ｂは低沸点成分の組成を低下させた場合の高圧圧力の変化を、Ｃは高圧圧力をイ（圧縮機の高圧圧力の使用限界）以下とする場合の低沸点成分の組成（２２ｗｔ％）を示している。
【００２９】
図２より、Ｒ４０７Ｃの標準組成における低沸点成分の組成（４８ｗｔ％）では、所望の給湯温度を得るための高圧圧力が圧縮機の使用限界値を超えるため、実際には所望の給湯温度を得る運転は実現できないことを示している。ところが、Ｒ４０７Ｃが非共沸混合冷媒であることを利用し、低沸点成分の組成を４８ｗｔ％から２２ｗｔ％へ低下させることで圧縮機の使用限界以内で所望の給湯温度を得ることができる。従って、高圧圧力を圧縮機の使用限界値以下に抑制し、かつ所定の給湯温度を得ることが可能な冷媒組成の目標値は、低沸点成分（Ｒ３２＋Ｒ１２５）の組成が２２ｗｔ％以下となる。即ち、実際の目標値は、所定の給湯温度等によりこの範囲から決定する。
【００３０】
さらに、冷媒組成の目標値への制御方法について図３を用いて説明する。図３は、電磁弁２１、２２を開放状態としてからの経過時間（組成変化運転時間）に対する冷凍サイクル内を循環する低沸点成分の冷媒４０７Ｃの標準組成からの組成変化を示している。
図３より、冷凍サイクル内を循環する冷媒組成を目標値とするためには、電磁弁２１、２２をＴｏ時間（例えば、１時間）以上開放する必要があることがわかる。すなわち、電磁弁２１、２２の開放時間を所定時間以上とすることにより、冷媒組成の所定の目標値への制御が可能となる。
なお、冷凍サイクルの冷媒組成が標準組成でない場合は、後述の組成値を検知後、同じく図３の組成変化図から検知組成値と目標値までの電磁弁２１、２２の開放時間を算出し開放する。
また、標準組成のＲ４０７Ｃ冷媒充填された冷凍サイクルの電磁弁２１、２２の開放時間による制御方法以外に、利用側熱交換器３の水熱交換器の温水入口温度を検知し、その検知値に基づいて冷媒組成を制御することも可能である。
【００３１】
冷凍サイクルの冷媒組成は、次のようにして検知できる。
図４に示すように毛細管３２入口部が過冷却液単相であることから、毛細管３２入口部に温度検出器Ｔ２、出口部に圧力検出器Ｐ１と温度検知器Ｔ１を設置し、検出した圧力Ｐ１、温度Ｔ１およびＴ２の信号を用いて組成を演算する組成演算手段であるマイコン４１を備えることにより、特開平１１−６３７４７号公報に開示のように冷凍サイクルの循環組成を演算・検知することが可能となり、より正確な循環組成の変更が可能となる。
【００３２】
また、電磁弁２１、２２の開閉操作により、冷凍サイクル内を循環する冷媒組成を所望の濃度に変更する場合、開閉操作は、前記循環組成演算・検知結果あるいは前記図３で説明したように、予め実験およびシミュレーションにて測定してある時間と冷凍サイクル内循環組成の関係により循環組成がわかるので、それを元に冷凍サイクル循環組成が所望の濃度となるように行われる。
【００３３】
次に、冷凍サイクルの冷媒組成を高沸点成分の多い組成から標準組成に戻す、または低沸点成分を増加させる別の方法を説明する。
先に、電磁弁２１を閉とし、電磁弁２２を開とし、冷媒貯留器１４の低沸点成分に富んだ冷媒を冷凍サイクルに流し、低沸点成分を増加させる方法を説明したが、以下に記載（図５、図６、図７）のように、開閉弁、減圧装置（図７はなし）付きの配管を設けることに、より早く低沸点成分を増加させることができる。
当然ながら、冷媒精留器１１による精留を行うときは、新たに設けた開閉弁は閉じる。
図５に示すように冷媒貯留器１４の出口側と第２配管２６とを第３開閉弁である電磁弁２３及び第４減圧装置である毛細管３３を介して、第３配管２７で接続することによって、冷凍サイクル循環組成を高沸点成分の多い状態から標準組成に戻そうとする（または、低沸点成分を増やす）際に、電磁弁２１を閉じ、電磁弁２２、２３を開くことで組成分離回路内圧力と圧縮機１の吸入圧力との圧力差を利用して前記第３配管２７から冷媒貯留器１４に貯留された低沸点成分に富む冷媒を冷凍サイクルへ戻すことができるので、循環組成を早く標準組成に戻す（または、低沸点成分を増やす）ことが可能となる。
【００３４】
また、次のようにしてもよい。
図６に示すように冷媒貯留器１４の出口側と、冷凍サイクルの低圧側の熱交換器である熱源側熱交換器５の入口側とを第４開閉弁である電磁弁２４及び第５減圧装置である毛細管３４を介した第４配管２８で接続することによって、冷凍サイクル循環組成を高沸点成分の多い組成から標準組成に戻そうとする（または、低沸点成分を増加させる）際に、電磁弁２１を閉じ、電磁弁２２、電磁弁２４を開くことで組成分離回路内圧力と圧縮機１の吸入圧力との圧力差を利用して前記第４配管２８から冷媒貯留器１４に貯留された低沸点成分に富む冷媒を冷凍サイクルへ戻すことができ、循環組成を早く標準組成に戻す（または、低沸点成分を増加させる）ことができる。また、冷媒貯留器１４内の液冷媒が熱源側熱交換器５内で蒸発するため、圧縮機１の液戻りを防止することができる。但し、電磁弁２２は閉じてもよい。
前記図５、図６に示すように、冷媒貯留器１４の出口側と冷凍サイクルの低圧側とを開閉弁及び減圧装置を介して配管接続することにより、早く冷凍サイクルに低沸点成分を増加させることができる。
【００３５】
また、次のようにしてもよい。
図７に示すように、第１冷却器１３の出口側と、冷凍サイクルの高圧側の熱交換器である利用側熱交換器３の出口側とを第５開閉弁である電磁弁３７を介して第５配管２９で接続することによって、冷凍サイクル循環組成を高沸点成分多い状態から標準組成に戻そうとする（または、低沸点成分を増加させる）際に、電磁弁２１を閉じ、電磁弁２２、電磁弁３７を開くことで圧縮機１の吐出圧力と圧縮機１の吸入圧力との圧力差を利用して、即ち、圧縮機１の吐出圧力により冷媒貯留器１４上部から高圧をかけて下部から冷媒をおしだし、冷媒貯留器１４に貯留された低沸点成分に富む冷媒を冷凍サイクルへ戻すことができるので、循環組成を早く標準組成に戻す（または、低沸点成分を増加させる）ことができる。
【００３６】
本実施の形態では第１冷却器１３及び第２冷却器１２で冷却する冷媒は、第３減圧装置３２で減圧された冷媒を使用し、第２冷却器１２、第１冷却器１３の順に流入させて冷却しているが、これらの冷却器１２、１３の冷却は圧縮機１に吸入される低圧の冷媒を使用してもよい。
【００３７】
また、本実施の形態１の冷凍サイクル装置によれば、第３減圧装置３２の入口側に第１温度検出手段Ｔ２を、出口側に第１圧力検出手段Ｐ１と第２温度検出手段Ｔ１を設け、第１圧力検出手段Ｐ１により検出した圧力、第１温度検出手段Ｔ２および第２温度検出手段Ｔ１により検出したそれぞれの温度を用いて冷凍サイクルの冷媒組成を演算する組成演算手段を備えたので、冷凍サイクルの冷媒循環組成を検知することができ、この検知した冷媒組成に基づいて、所望の冷媒組成に変更が可能となる。
【００３８】
実施の形態２．
以下、本発明の実施の形態２の冷凍サイクル装置について説明する。
図８は本実施の形態に係わる冷凍サイクル装置を示す構成図であり、本実施の形態では、圧縮機１と利用側熱交換器３、熱源側熱交換器５との間に冷媒流路切換手段である四方弁２を設け、両熱交換器３、５の一方に流路切換え可能としている。その他の構成は実施の形態１と同じである。
そこで、四方弁２を切換えることにより、給湯運転（温水供給運転）とチラー運転（冷水供給運転）が可能となり、熱源側熱交換器５は、給湯運転（温水供給運転）時には蒸発器として動作し、チラー運転（冷水供給運転）時には凝縮器として動作する。また、利用側熱交換器３は、給湯運転時には凝縮器として動作し、チラー運転時には蒸発器として動作する。
【００３９】
まず、給湯（温水供給）運転の場合について説明する。冷凍サイクル内の冷媒の流れを図８に実線矢印で示す。給湯運転の場合、四方弁２は実線のように接続され、圧縮機１の出口側と利用側熱交換器３の入口部が接続されるとともに、アキュムレータ６の入口部と熱源側熱交換器５の出口部がそれぞれ接続される。
圧縮機１から吐出された高温高圧の蒸気冷媒は、四方弁２を経て凝縮器として動作する利用側熱交換器３で凝縮液化して中温高圧の液冷媒となり、膨張弁４で減圧され、低温低圧の気液二相冷媒となって蒸発器として動作する熱源側熱交換器５に流入する。
この冷媒は、熱源側熱交換器５で蒸発気化し、四方弁２、アキュムレータ６を経て再び圧縮機１へ戻る。このとき、利用側熱交換器３に流入する被加熱媒体である冷水は冷媒の凝縮潜熱によって加熱されて温水となり、貯湯タンクなどに供給される。また、熱源側熱交換器５に流入する被冷却媒体である空気は冷媒の蒸発潜熱によって冷却された後、外気などへ放出される。
なお、給湯運転時の冷凍サイクル内の循環組成の変更動作は、先に説明した実施の形態１と同様であるため省略する。
【００４０】
また、四方弁２を設けたことで、低外気温時に熱源側熱交換器５表面に霜がついた場合、四方弁２を点線のように繋いで高温冷媒を熱源側熱交換器５に流し、付着した霜を溶かす霜取り運転が可能となる。
【００４１】
また、冷凍サイクル循環組成を高沸点成分の多い組成から標準組成に戻そうとする（または、低沸点成分を増加する）動作も同じである。
即ち、図９に示すように冷媒貯留器１４の出口側と第２配管２６とを第３開閉弁である電磁弁２３及び第４減圧装置である毛細管３３を介した第３配管２７で接続することによって、冷凍サイクル循環組成を高沸点成分の多い組成から標準組成に戻そうとする（または、低沸点成分を増加する）際に、電磁弁２１を閉じ、電磁弁２２、電磁弁２３を開くことで組成分離回路内の圧力と圧縮機１の吸入圧力との圧力差を利用して第３配管２７から冷媒貯留器１４に貯留された低沸点成分に富む冷媒を冷凍サイクルへ戻すことができるので、循環組成を早く標準組成に戻す（または、低沸点成分を増加する）ことが可能となる。
【００４２】
また、同様に、図１０に示すように冷媒貯留器１４の出口側と、冷凍サイクルの低圧側の熱交換器である熱源側熱交換器５の入口側とを第４開閉弁である電磁弁２４及び第５減圧装置である毛細管３４を介して第４配管２８で接続することによって、冷凍サイクル循環組成を標準組成に戻そうとする（または、低沸点成分を増加する）際に、電磁弁２１を閉じ、電磁弁２２、電磁弁２４を開くことで組成分離回路内の圧力と圧縮機１の吸入圧力との圧力差を利用して前記第４配管２８から冷媒貯留器１４に貯留された低沸点成分に富む冷媒を冷凍サイクルへ戻すことができ、循環組成を早く標準組成に戻す（または、低沸点成分を増加する）ことができる。また、冷媒貯留器１４内の液冷媒が熱源側熱交換器５内で蒸発するため、圧縮機１の液戻りを防止することができる。但し、電磁弁２２は閉じてもよい。
前記のように、冷凍サイクルに低沸点成分を増加させるには、図９、図１０に示すように、冷媒貯留器１４の出口側と冷凍サイクルの低圧側とを開閉弁、減圧装置を介して配管接続すればよい。
【００４３】
また、同様に、図１１に示すように第１冷却器１３の出口側と、冷凍サイクルの高圧側熱交換器である利用側熱交換器３の出口側とを第５開閉弁である電磁弁３７を介して第５配管２９で接続することによって、冷凍サイクル循環組成を標準組成に戻そうとする（または、低沸点成分を増加する）際に、電磁弁２１を閉じ、電磁弁２２、電磁弁３７を開くことで圧縮機１の吐出圧力と圧縮機１の吸入圧力との圧力差を利用して冷媒貯留器１４に貯留された低沸点成分に富む冷媒を主冷凍サイクルへ戻すことができるので、循環組成を早く標準組成に戻す（または、低沸点成分を増加する）ことができる。
【００４４】
次に、チラー（冷水供給）運転時の動作について説明する。チラー運転の場合、四方弁２は点線のように接続され、圧縮機１の出口側と熱源側熱交換器５が、アキュムレータ６の入口部と利用側熱交換器３がそれぞれ接続される。図８で冷凍サイクル内の冷媒の流れを点線矢印で示す。
チラー運転時には、圧縮機１で圧縮された高温高圧の蒸気冷媒は、四方弁２を経て凝縮器として動作する熱源側熱交換器５で凝縮液化し、膨張弁４で減圧され、低圧の気液二相冷媒となって蒸発器として動作する利用側熱交換器３に流入する。この冷媒は利用側熱交換器３で蒸発し、四方弁２、アキュムレータ６を経て再び圧縮機１へ戻る。膨張弁４は、熱源側熱交換器５出口の冷媒過冷却度が適正（例えば１０℃）となるようにその開度が制御されており、冷凍サイクル内の余剰な冷媒は、アキュムレータ６内に貯留される。
なお、チラー運転時の冷凍サイクル内の循環組成変更の動作は、先に説明した給湯運転時と同様であるため省略する。
【００４５】
また、チラー運転の場合も給湯運転時と同様に、図９に示すように冷媒貯留器１４の出口側と第２配管２６とを第３開閉弁である電磁弁２３及び第４減圧装置である毛細管３３を介した第３配管２７で接続することによって、冷凍サイクル循環組成を高沸点成分の多い組成から標準組成に戻そうとする（または、低沸点成分を増加する）際に、電磁弁２１を閉じ、電磁弁２２、２３を開くことで組成分離回路内圧力と圧縮機１の吸入圧力との圧力差を利用して前記第３配管２７から冷媒貯留器１４に貯留された低沸点成分に富む冷媒を冷凍サイクルへ戻すことができるので、循環組成を早く標準組成に戻す（または、低沸点成分を増加する）ことが可能となる。
【００４６】
また、図示していないが、図１０において、第４配管２８は冷凍サイクル側に、それぞれ開閉弁付きの分岐配管（または、流路切換弁付きの分岐配管）を接続し、給湯運転、チラー運転に対応して低圧側となる熱交換器に接続するようにしても、冷媒貯留器１４に貯留された低沸点成分に富む冷媒を冷凍サイクルへ戻すことができるので、循環組成を早く標準組成に戻す（または、低沸点成分を増加する）ことが可能となる。
【００４７】
前記のように、冷凍サイクルに低沸点成分を増加させるには、冷媒貯留器１４の出口側と冷凍サイクルの低圧側とを開閉弁、減圧装置を介して配管接続すればよい。
【００４８】
また、図示していないが、図１１において、第５配管２９は冷凍サイクル側に、それぞれ開閉弁付きの分岐配管（または、流路切換弁付きの分岐配管）を接続し、給湯運転、チラー運転に対応して高圧側となる熱交換器の出口側に接続するようにしても、冷媒貯留器１４に貯留された低沸点成分に富む冷媒を冷凍サイクルへ戻すことができるので、循環組成を早く標準組成に戻す（または、低沸点成分を増加する）ことが可能となる。
【００４９】
本実施の形態においても、冷凍サイクルの低沸点成分を増加するには、電磁弁２１を閉じ、電磁弁２２を開いて行うよりも、前記の方法により、早く冷凍サイクルの低沸点成分を増加することができる。
なお、本実施の形態に記載の冷媒流路切換手段である四方弁２は、前記の実施の形態１の図１に設置して、給湯運転に加えてチラー運転（冷水供給運転）を行うこともできる。
【００５０】
なお、実施の形態１、２の冷凍サイクルに冷媒の低沸点成分を増やす構成、即ち、冷媒貯留器１４の出口側と冷凍サイクルの低圧側とを開閉弁及び減圧装置を介して配管接続した構成、及び第１冷却器１３の出口側と冷凍サイクルの高圧側の熱交換器の出口側とを開閉弁を介して配管接続した構成等により、冷凍サイクルに冷媒の低沸点成分を早く増やす効果は、第２冷却器１２がなくても同じく得られる。
【００５１】
本実施の形態１、２の冷凍サイクル装置によれば、開閉弁２４及び減圧装置３４を介して、冷媒貯留器１４の出口側と配管接続した冷凍サイクルの低圧側が、利用側熱交換器３及び熱源側熱交換器５のうち低圧側となる熱交換器の入口側となるようにしたので、開閉弁２４を開いて低沸点成分の冷媒を冷凍サイクルに流入させる際、冷凍サイクルの冷媒組成の低沸点成分を早く増やすことができるとともに、熱交換器で蒸発し、圧縮機１への液戻りを防止できる。
【００５２】
また、本実施の形態１、２の冷凍サイクル装置によれば、冷凍サイクルと、冷媒精留器１１と、第１冷却器１３と、冷媒貯留器１４と、第３減圧装置３２とを備え、第１開閉弁２５、第２開閉弁２６を開閉して冷媒組成を変える冷凍サイクル装置で、冷媒貯留器１４の出口側と冷凍サイクルの低圧側とを開閉弁及び減圧装置を介して配管接続するか、または、第１冷却器１３の出口側と冷凍サイクルの高圧側の熱交換器の出口側とを開閉弁を介して配管接続し、第３減圧装置３２の冷媒精留器１１側に、冷媒精留器１１から出る冷媒を過冷却する第２冷却器１２を設けたので、早く冷凍サイクルの冷媒の低沸点成分増加できるとともに、第３減圧装置入口は液単相となり、冷媒精留器１１及び冷媒精留器１１まわりの配管の冷媒の流量が安定し、安定的に循環組成が変更可能となる。
【００５３】
また、本実施の形態１、２の冷凍サイクル装置によれば、第２冷却器１２は、第３減圧装置３２を通過後の冷媒との熱交換で冷却するので、第２冷却器１２と第３減圧装置３２は近接して設けることができ、配管の設置が容易となる。
【００５４】
また、本実施の形態１、２の冷凍サイクル装置によれば、第１冷却器１３は、第３減圧装置３２を通過後の冷媒との熱交換で冷却するので、第１冷却器１３と第３減圧装置３２は近接して設けることができ、配管の設置が容易となる。
【００５５】
実施の形態３．
以下、本発明の実施の形態３の冷凍サイクル装置について説明する。
図１２は本実施の形態に係わる冷凍サイクル装置を示す構成図であり、実施の形態２とほぼ同様の構成であるため詳細な説明は省略する。本実施の形態では、実施の形態２の図８における第２減圧装置である毛細管３１の手前に、即ち、圧縮機１側に、第３冷却器１５を設けている。
【００５６】
第３冷却器１５には、第３減圧装置３２で減圧された冷媒が、第２冷却器１２、第１冷却器１３の順に流れた後流入する。この流入冷媒が圧縮機１の出口から流出した高温高圧蒸気冷媒を冷却する。つまり、圧縮機１の出口から流出した高温高圧蒸気冷媒は、第３冷却器１５で冷却され液単相状態となり、毛細管３３で減圧され冷媒精留器１１へは乾き度の小さい気液二相冷媒が流入することとなる。このように乾き度が小さい気液二相冷媒が冷媒精留器１１へ流入されることによって、冷媒精留器１１の下部出口状態は液単相となり、冷媒精留器１１の下部の出口側、あるいは毛細管３２の入口部における脈動を抑え組成分離回路内の流量を安定させることができる。
【００５７】
なお、第３冷却器１５で熱交換し、圧縮機１のから流出した高温高圧蒸気冷媒を冷却する冷媒は、圧縮機１に吸入される低圧の冷媒を利用してもよい。
また、本実施の形態の第３冷却器１５を設ける構成は、実施の形態１にも適用でき、同様の効果が得られる。
また、本実施の形態においても、冷凍サイクルに冷媒の低沸点成分を増やす構成、即ち、冷媒貯留器１４の出口側と冷凍サイクルの低圧側とを開閉弁及び減圧装置を介して配管接続した構成、及び第１冷却器１３の出口側と冷凍サイクルの高圧側の熱交換器の出口側とを開閉弁を介して配管接続した構成等により、実施の形態１、２に記載と同じ効果が得られる。
【００５８】
前記の実施の形態１、２、３では、冷凍サイクル装置を給湯装置（温水給湯、冷水給湯）の例として説明してきたが、本冷凍サイクル装置は空気調和装置、冷凍装置としても利用できる。即ち、温水給湯は空気調和装置の暖房運転に、冷水給湯は空気調和装置の冷房運転または冷凍装置に、それぞれ対応する。また、それぞれ同様な効果が得られる。
その際、空気調和装置においては、冷凍サイクルの利用側熱交換器３が室内機となり、冷凍サイクルのその他構成と組成分離ユニット６３は室外機とするのが望ましい。また、冷凍装置では、冷凍サイクルの利用側熱交換器３でショーケースを構成し、冷凍サイクルのその他の構成と組成分離ユニット６３は室外機とするのが望ましい。
【００５９】
また、本実施の形態３の冷凍サイクル装置によれば、冷媒精留器１１の下部と冷凍サイクルの圧縮機１の出口側とを接続する配管の冷媒精留器１１の入口側に設けた第２減圧装置３１の圧縮機１側に第３冷却器１５を設けたので、圧縮機１から出た高温高圧ガス冷媒は第３冷却器１５で冷却され、液単相となり、第２減圧装置３１で減圧され、冷媒精留器１１へは乾き度が小さい気液二相として流入される。そこで、冷媒精留器１１の下部出口では液単相となり、冷媒精留器１１の出口側の脈動が抑えられ、冷媒の流れが安定する。
【００６０】
また、本実施の形態３の冷凍サイクル装置によれば、第１冷却器１３、第２冷却器１２及び第３冷却器１５によるそれぞれの冷媒の冷却は、第３減圧装置３２で減圧された冷媒が、第２冷却器、第１冷却器、第３冷却器の順に、それぞれの冷媒と熱交換することにより行われるので、第１冷却器１３、第２冷却器１２、第３冷却器１５及び第３減圧装置３２を比較的近接して設置でき、これらをまとめてユニット化でき設置、取扱いが容易になる。
【００６１】
本実施の形態２、３の冷凍サイクル装置によれば、冷凍サイクルの圧縮機１の出口側に、利用側熱交換器３または熱源側熱交換器５に冷媒流路を切換える冷媒流路切換手段２を設けたので、冷媒流路切換手段２を切換えることにより、冷凍サイクル装置を温水給湯と冷水給湯可能な給湯装置、及び、暖房と冷房可能な空気調和装置として使用できる。
【００６２】
【発明の効果】
以上説明したとおり、本発明の冷凍サイクル装置は、冷凍サイクルと、冷媒精留器と、冷媒精留器で分離された低沸点冷媒成分を冷却する第１冷却器と、冷媒貯留器とを備え、第１開閉弁と第２開閉弁とを開閉することにより、冷凍サイクル内の非共沸混合冷媒の低沸点冷媒成分と高沸点冷媒成分の割合を可変とする冷凍サイクル装置において、冷媒精留器の下部と冷凍サイクルの圧縮機の出口側とを接続する配管の冷媒精留器の入口側に第２減圧装置を設け、冷媒精留器の下部と冷凍サイクルの低圧側とを接続する配管に第３減圧装置を設置し、該第３減圧装置の冷媒精留器側に、冷媒精留器から出る冷媒を過冷却する第２冷却器を設けたものである。
そこで、第３減圧装置入口は必ず液単相となるため、冷媒精留器及び冷媒精留器まわりの配管の冷媒の流量が安定し、安定的に循環組成が変更可能となり、非共沸混合冷媒を用いる冷凍サイクル装置の性能が向上する。
【００６３】
また、本発明の冷凍サイクル装置は、冷凍サイクルと、冷媒精留器と、第１冷却器と、冷媒貯留器とを備え、第１開閉弁と第２開閉弁とを開閉することにより、冷凍サイクル内の非共沸混合冷媒の低沸点冷媒成分と高沸点冷媒成分の割合を可変とする冷凍サイクル装置において、冷媒精留器の下部と冷凍サイクルの圧縮機の出口側とを接続する配管の冷媒精留器の入口側に第２減圧装置を設け、また、冷媒精留器の下部と冷凍サイクルの低圧側とを接続する配管に第３減圧装置を設置し、冷媒貯留器の出口側と冷凍サイクルの低圧側とを開閉弁及び減圧装置を介して配管接続したものである。
そこで、冷凍サイクルの冷媒循環組成を低沸点成分が増加するように変化させる際、冷媒貯留器の出口側と冷凍サイクルの低圧側とを接続する配管の開閉弁を開くことにより、早く冷凍サイクルの冷媒の低沸点成分を増加することができ、非共沸混合冷媒を用いる冷凍サイクル装置の性能が向上する。
【００６４】
また、本発明の冷凍サイクル装置は、冷凍サイクルと、冷媒精留器と第１冷却器と冷媒貯留器とを備え、第１開閉弁と第２開閉弁とを開閉することにより、冷凍サイクル内の非共沸混合冷媒の低沸点冷媒成分と高沸点冷媒成分の割合を可変とする冷凍サイクル装置において、冷媒精留器の下部と冷凍サイクルの圧縮機の出口側とを接続する配管の冷媒精留器の入口側に第２減圧装置を設け、また、冷媒精留器の下部と冷凍サイクルの低圧側とを接続する配管に第３減圧装置を設置し、第１冷却器の出口側と冷凍サイクルの高圧側の熱交換器の出口側とを開閉弁を介して配管接続したものである。
そこで、冷凍サイクルの冷媒循環組成を低沸点成分が増加するように変化させる際、第１冷却器の出口側と冷凍サイクルの利用側熱交換器の出口側とを第５開閉弁を開くことにより、早く冷凍サイクルの冷媒の低沸点成分を増加することができ、非共沸混合冷媒を用いる冷凍サイクル装置の性能が向上する。
【図面の簡単な説明】
【図１】本発明の実施の形態１に係わる冷凍サイクル装置の冷媒回路構成を示す図である。
【図２】本発明の実施の形態１に係わる低沸点成分の組成と高圧圧力の関係を示す図である。
【図３】本発明の実施の形態１に係わる組成変化運転時間と低沸点成分の組成の関係を示す図である。
【図４】本発明の実施の形態１に係わる冷凍サイクル装置の冷媒組成の検知方法を説明する図である。
【図５】本発明の実施の形態１に係わる冷凍サイクル装置の冷凍サイクルの低沸点成分を増加する方法を説明する図である。
【図６】本発明の実施の形態１に係わる冷凍サイクル装置の冷凍サイクルの低沸点成分を増加する別の方法を説明する図である。
【図７】本発明の実施の形態１に係わる冷凍サイクル装置の冷凍サイクルの低沸点成分を増加するさらに別の方法を説明する図である。
【図８】本発明の実施の形態２に係わる冷凍サイクル装置の冷媒回路構成を示す図である。
【図９】本発明の実施の形態２に係わる冷凍サイクル装置の冷凍サイクルの低沸点成分を増加する方法を説明する図である。
【図１０】本発明の実施の形態２に係わる冷凍サイクル装置の冷凍サイクルの低沸点成分を増加する別の方法を説明する図である。
【図１１】本発明の実施の形態２に係わる冷凍サイクル装置の冷凍サイクルの低沸点成分を増加するさらに別の方法を説明する図である。
【図１２】本発明の実施の形態３に係わる冷凍サイクル装置の冷媒回路構成を示す図である。
【符号の説明】
１　圧縮機、２　冷媒流路切換手段、３　利用側熱交換器、４　第１の減圧装置、５　熱源側熱交換器、１１　冷媒精留器、１２　第２冷却器、１３　第１冷却器、１４　冷媒貯留器、１５　第３冷却器、２１　第１開閉弁、２２　第２開閉弁、３１　第２減圧装置、３２　第３減圧装置。
【図１】
2004108596.tif 000003
【図２】
2004108596.tif 000004
【図３】
2004108596.tif 000005
【図４】
2004108596.tif 000006
【図５】
2004108596.tif 000007
【図６】
2004108596.tif 000008
【図７】
2004108596.tif 000009
【図８】
2004108596.tif 000010
【図９】
2004108596.tif 000011
【図１０】
2004108596.tif 000012
【図１１】
2004108596.tif 000013
【図１２】
2004108596.tif 000014